【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
画像を複数の局所領域に分け、前記複数の局所領域のうちの少なくとも１つの前記局所領域に対してボカシ処理を施すと共に、該ボカシ処理を施した前記局所領域以外の他の前記局所領域に対し、前記画像のノイズ特性に基づいて決めた量のノイズを重畳する画像処理方法。
【請求項２】
請求項１に記載の画像処理方法であって、前記ノイズ特性は、前記画像を撮像するときの撮影感度により決める画像処理方法。
【請求項３】
請求項１に記載の画像処理方法であって、前記ノイズ特性は、前記ボカシ処理を行うノイズ低減処理パラメータにより決める画像処理方法。
【請求項４】
請求項１乃至３のいずれかに記載の画像処理方法であって、前記局所領域は、前記画像中の各被写体までの距離情報に基づいて複数に分けられる画像処理方法。
【請求項５】
画像を複数の局所領域に分け、前記複数の局所領域のうちの少なくとも１つの前記局所領域に対して該局所領域中の被写体エッジの鮮鋭度を保ったまま該被写体エッジ以外の該局所領域内にボカシ処理を施し、該ボカシ処理を施した該局所領域以外の他の前記局所領域に対して被写体エッジの鮮鋭度を保つことなくボカシ処理を施す画像処理方法。
【請求項６】
請求項５に記載の画像処理方法であって、前記局所領域は、前記画像中の各被写体までの距離情報に基づいて複数に分けられる画像処理方法。
【請求項７】
画像の画素毎に特性の異なる第１フィルタ処理と第２フィルタ処理を夫々施し、前記画像を複数の局所領域に分け、前記複数の局所領域のうちの少なくとも１つの前記局所領域の被写体エッジ以外の画素には前記第１フィルタ処理を施した画素値を選択し、該第１フィルタ処理を施さない前記局所領域の各画素に対しては前記第２フィルタ処理を施した画素値を選択する画像処理方法。
【請求項８】
請求項７に記載の画像処理方法であって、前記第１フィルタ処理はボカシ処理であり、
前記第２フィルタ処理は入力される画素値をそのまま出力するフィルタ処理である画像処理方法。
【請求項９】
請求項７又は請求項８に記載の画像処理方法であって、前記局所領域は、前記画像中の各被写体までの距離情報に基づいて複数に分けられる画像処理方法。
【請求項１０】
画像を複数の局所領域に分ける局所領域識別手段と、前記複数の局所領域のうちの少なくとも１つの前記局所領域に対してボカシ処理を施すボカシ処理手段と、該ボカシ処理を施した前記局所領域以外の他の前記局所領域に対し、前記画像のノイズ特性に基づいて決めた量のノイズを重畳するノイズ重畳手段とを備える画像処理装置。
【請求項１１】
請求項１０に記載の画像処理装置であって、前記ノイズ特性は、前記画像を撮像するときの撮影感度により決める画像処理装置。
【請求項１２】
請求項１０に記載の画像処理装置であって、前記ノイズ特性は、前記ボカシ処理を行うノイズ低減処理パラメータにより決める画像処理装置。
【請求項１３】
請求項１０乃至１２のいずれかに記載の画像処理装置であって、前記局所領域は、前記画像中の各被写体までの距離情報に基づいて複数に分けられる画像処理装置。
【請求項１４】
画像を複数の局所領域に分ける局所領域識別手段と、前記複数の局所領域のうちの少なくとも１つの前記局所領域に対して該局所領域中の被写体エッジの鮮鋭度を保ったまま該被写体エッジ以外の該局所領域内にボカシ処理を施す第１ボカシ処理手段と、該ボカシ処理を施した該局所領域以外の他の前記局所領域に対して被写体エッジの鮮鋭度を保つことなくボカシ処理を施す第２ボカシ処理手段とを備える画像処理装置。
【請求項１５】
請求項１４に記載の画像処理装置であって、前記局所領域は、前記画像中の各被写体までの距離情報に基づいて複数に分けられる画像処理装置。
【請求項１６】
画像の画素毎に第１フィルタ処理を施す第１フィルタ処理手段と、該画像の画素毎に前記第１フィルタ処理と特性の異なる第２フィルタ処理を施す第２フィルタ処理手段と、前記画像を複数の局所領域に分ける局所領域識別手段と、前記複数の局所領域のうちの少なくとも１つの前記局所領域の被写体エッジ以外の画素には前記第１フィルタ処理を施した画素値を選択し該第１フィルタ処理を施さない前記局所領域の各画素に対しては前記第２フィルタ処理を施した画素値を選択する出力選択手段を備える画像処理装置。
【請求項１７】
請求項１６に記載の画像処理装置であって、前記第１フィルタ処理はボカシ処理であり、前記第２フィルタ処理は入力される画素値をそのまま出力するフィルタ処理である画像処理装置。
【請求項１８】
請求項１６又は請求項１７に記載の画像処理装置であって、前記局所領域は、前記画像中の各被写体までの距離情報に基づいて複数に分けられる画像処理装置。
【請求項１９】
画像を複数の局所領域に分けるステップと、前記複数の局所領域のうちの少なくとも１つの前記局所領域に対してボカシ処理を施すステップと、該ボカシ処理を施した前記局所領域以外の他の前記局所領域に対し、前記画像のノイズ特性に基づいて決めた量のノイズを重畳するステップとを備える画像処理プログラム。
【請求項２０】
請求項１９に記載の画像処理プログラムであって、前記ノイズ特性は、前記画像を撮像するときの撮影感度により決める画像処理プログラム。
【請求項２１】
請求項１９に記載の画像処理プログラムであって、前記ノイズ特性は、前記ボカシ処理を行うノイズ低減処理パラメータにより決める画像処理プログラム。
【請求項２２】
請求項１９乃至２１のいずれかに記載の画像処理プログラムであって、前記局所領域は、前記画像中の各被写体までの距離情報に基づいて複数に分けられる画像処理プログラム。
【請求項２３】
画像を複数の局所領域に分けるステップと、前記複数の局所領域のうちの少なくとも１つの前記局所領域に対して該局所領域中の被写体エッジの鮮鋭度を保ったまま該被写体エッジ以外の該局所領域内にボカシ処理を施すステップと、該ボカシ処理を施した該局所領域以外の他の前記局所領域に対して被写体エッジの鮮鋭度を保つことなくボカシ処理を施すステップとを備える画像処理プログラム。
【請求項２４】
請求項２３に記載の画像処理プログラムであって、前記局所領域は、前記画像中の各被写体までの距離情報に基づいて複数に分けられる画像処理プログラム。
【請求項２５】
画像の画素毎に特性の異なる第１フィルタ処理と第２フィルタ処理を夫々施すステップと、前記画像を複数の局所領域に分けるステップと、前記複数の局所領域のうちの少なくとも１つの前記局所領域の被写体エッジ以外の画素には前記第１フィルタ処理を施した画素値を選択するステップと、該第１フィルタ処理を施さない前記局所領域の各画素に対しては前記第２フィルタ処理を施した画素値を選択するステップとを備える画像処理プログラム。
【請求項２６】
請求項２５に記載の画像処理プログラムであって、前記第１フィルタ処理はボカシ処理であり、前記第２フィルタ処理は入力される画素値をそのまま出力するフィルタ処理である画像処理プログラム。
【請求項２７】
請求項２５又は請求項２６に記載の画像処理プログラムであって、前記局所領域は、前記画像中の各被写体までの距離情報に基づいて複数に分けられる画像処理プログラム。
【請求項２８】
請求項１０乃至請求項１８のいずれかに記載の画像処理装置と、前記画像を撮像する撮像系とを備える撮像装置。
【手続補正２】
【補正対象書類名】明細書
【補正対象項目名】０００９
【補正方法】変更
【補正の内容】
【０００９】
本発明の画像処理方法、画像処理装置、画像処理プログラムは、画像を複数の局所領域に分け、前記複数の局所領域のうちの少なくとも１つの前記局所領域に対してボカシ処理を施すと共に、該ボカシ処理を施した前記局所領域以外の他の前記局所領域に対し、前記画像のノイズ特性に基づいて決めた量のノイズを重畳することを特徴とする。
【手続補正３】
【補正対象書類名】明細書
【補正対象項目名】００１３
【補正方法】変更
【補正の内容】
【００１３】
本発明によれば、高感度撮影を行って得られた撮影画像のうちの局所領域にボカシ処理を施しても画像全体として違和感の無い画像を得ることができる画像処理方法、画像処理装置、画像処理プログラム、撮像装置を提供することができる。